(57)【要約】【課題】踏板を支持させる部材の親柱の周面への位置決めを容易に行い得るようにすることで、施工性を大幅に向上させた廻り階段を提供する。【解決手段】親柱１の周面に、該周回方向に所定角度ずつずらし、且つ、上下に蹴上げ高さ毎に踏板２を取付けることで形成される廻り階段である。踏板２を支持する支持台４を、親柱１の周回方向に所定角度ずつずらすと共に下段の支持台４に上段の支持台４を載せるようにして、親柱１の周面における所定の取付け位置に固定する。【選択図】　　　　図１
2004116088.tif 000002
【特許請求の範囲】
【請求項１】
親柱の周面に、該周回方向に所定角度ずつずらし、且つ、上下に蹴上げ高さ毎に踏板を取付けることで形成される廻り階段において、踏板を支持する支持台を、親柱の周回方向に所定角度ずつずらすと共に下段の支持台に上段の支持台を載せるようにして、親柱の周面における所定の取付け位置に固定したことを特徴とする廻り階段。
【請求項２】
角柱状の親柱における周面の角部を挟んで配置される下段の支持台と上段の支持台とは、下段の支持台の上面の一部及び上段の支持台の下面の一部がそれぞれ該角部の外方位置に突出され、この角部の外方位置にある下段の支持台の上面に上段の支持台の下面が載置されてなることを特徴とする請求項１記載の廻り階段。
【請求項３】
角柱状の親柱における一周面に配置される複数の支持台を一体構成にしたことを特徴とする請求項１記載の廻り階段。
【請求項４】
支持台の上端部位を下方に凹状に切り欠くことで、支持台の上端より１段低い水平面状の支持台載置面を形成すると共に支持台の上端と上記支持台載置面とを連続させる垂直面状の支持台当接面を形成し、下段の支持台の支持台載置面に載置した上段の支持台の側端面を支持台当接面に当接させたことを特徴とする請求項１記載の廻り階段。
【請求項５】
支持台に踏板が載置される水平面状の踏板載置面を形成すると共に支持台の上端面を水平面状に形成し、下段の支持台の支持台当接面上に載置した上段の支持台の踏板載置面と下段の支持台の上端面とを面一状態にし、この面一面上に踏板を載置したことを特徴とする請求項４記載の廻り階段。
【請求項６】
支持台の左右端部に、踏板を載置させる踏板載置面及び、踏板の前縁下部から垂設される蹴込板を当接させる垂直面状の蹴込板当接面をそれぞれ設け、この支持台を表裏反転自在にして親柱の周面に固定したことを特徴とする請求項１記載の廻り階段。
【発明の詳細な説明】
【０００１】
【発明の属する技術分野】
本発明は、廻り階段に関し、詳しくは、親柱の周面への蹴込板や踏板の取付け構造に関する発明である。
【０００２】
【従来の技術】
従来から、縦柱状の親柱１の周面に、該周回方向に所定角度ずつずらし、且つ、上下段々に踏板２を取付けることで形成される廻り階段にあっては、図１４に示すように、親柱１の周面に階段状に溝２０を穿設し、この溝２０に踏板２の端縁をそれぞれ嵌め込んでいくことで施工が為されていた。しかし、この施工作業は、特に親柱１に溝２０を穿設させる作業が煩雑且つ熟練を要するものであり、廻り階段の施工の容易化が切望されていた。
【０００３】
しかして、施工容易な廻り階段を図り、図１５に示すように、逆Ｌ字型の取付金具２１を複数個、上下高さ位置をずらして適宜親柱１の周面に取り付け、この取付金具２１にそれぞれ踏板２を支持させて廻り階段を施工するものが提案されている（例えば、特許文献１参照）。
【０００４】
また、図１６に示すように、上辺に階段状の段部２２を形成した階段状板材２３を親柱１の周面に沿わせて取付け、上記階段状板材２３の段部２２に踏板２の端縁を載せて支持させ、廻り階段を施工するものが提案されている（例えば、特許文献２参照）。
【０００５】
【特許文献１】
特開平１１−１３１７３８号公報
【特許文献２】
特開２００２−１８８２６４号公報
【０００６】
【発明が解決しようとする課題】
しかしながら、図１５の廻り階段では、親柱１の周囲に溝２０を穿設する手間は省かれるものの、各取付金具２１を親柱１の所定位置にそれぞれ位置決めするのが煩雑であるから、施工の容易化は充分に図られたものではない。また、図１６の廻り階段では、親柱１の周面毎に階段状板材２３を取付ければよく、上記取付金具２１よりも設置点数を少なくして施工性を向上させているが、親柱１の周面毎での階段状板材２３の位置決め作業は変わらずに煩雑であり、これも施工の容易化は充分に図られたものではなかった。このように、施工の容易化を図って各種構造の廻り階段（たとえば、図１５、図１６の廻り階段）が提案されたが、いずれも、踏板２を支持させる取付金具２１や階段状板材２３の親柱１の周面への位置決め作業が煩雑であり、廻り階段の大幅な施工の容易化は達成されていないのが現状である。
【０００７】
本発明は上記の点に鑑みてなされたものであり、踏板を支持させる部材の親柱の周面への位置決めを容易に行い得るようにすることで、施工性を大幅に向上させた廻り階段を提供することを課題とするものである。
【０００８】
【課題を解決するための手段】
上記課題を解決するために本発明に係る廻り階段は、親柱１の周面に、該周回方向に所定角度ずつずらし、且つ、上下に蹴上げ高さ毎に踏板２を取付けることで形成される廻り階段において、踏板２を支持する支持台４を、親柱１の周回方向に所定角度ずつずらすと共に下段の支持台４に上段の支持台４を載せるようにして、親柱１の周面における所定の取付け位置に固定したことを特徴とする。これによると、最下段の支持台４の親柱１の周面への取付け位置を決めてしまえば、順に支持台４を積み上げることで各支持台４の取り付け位置が決まることになり、位置決めを容易にして親柱１の周面に各支持台４を固定することができる。つまり、従来煩雑な作業であった踏板２を支持する部材の親柱１への位置決めを伴った固定が容易に行われることから、施工良く廻り階段を形成させることができるのである。
【０００９】
また、角柱状の親柱１における周面の角部Ｃを挟んで配置される下段の支持台４と上段の支持台４とは、下段の支持台４の上面の一部及び上段の支持台４の下面４ｂの一部がそれぞれ該角部Ｃの外方位置に突出され、この角部Ｃの外方位置にある下段の支持台４の上面に上段の支持台４の下面４ｂが載置されてなることも好ましい。これによると、角柱状の親柱１の角部Ｃを挟んで配置される支持台４にあっても、位置決めを伴った固定を容易に行わせることができる。
【００１０】
また、角柱状の親柱１における一周面に配置される複数の支持台４を一体構成にしたことも好ましい。これによると、支持台４の部材点数を減らすことができ、施工の容易化に資することができる。
【００１１】
また、支持台４の上端部位を下方に凹状に切り欠くことで、支持台４の上端より１段低い水平面状の支持台載置面５を形成すると共に支持台４の上端と上記支持台載置面５とを連続させる垂直面状の支持台当接面６を形成し、下段の支持台４の支持台載置面５に載置した上段の支持台４の側端面を支持台当接面６に当接させたことも好ましい。これによると、下段の支持台４に対する上段の支持台４の位置決めを、上下方向のみならず水平方向にも決定させることができ、更に正確な位置決めを可能にできる。
【００１２】
また、支持台４に踏板２が載置される水平面状の踏板載置面７を形成すると共に支持台４の上端面４ａを水平面状に形成し、下段の支持台４の支持台当接面６上に載置した上段の支持台４の踏板載置面７と下段の支持台４の上端面４ａとを面一状態にし、この面一面上に踏板２を載置したことも好ましい。これによると、上段の支持台４に支持される踏板２は、上段の支持台４の踏板載置面７での支持に加えて、下段の支持台４の上端面４ａにも載置されて受けられるので、踏板２の支持台４への固定強度をより向上させることができる。
【００１３】
また、支持台４の左右端部に、踏板２を載置させる踏板載置面７及び、踏板２の前縁下部から垂設される蹴込板３を当接させる垂直面状の蹴込板当接面８をそれぞれ設け、この支持台４を表裏反転自在にして親柱１の周面に固定したことも好ましい。これによると、一の支持台４を表裏反転させて用いることで、左右２種の踏板載置面７及び蹴込板当接面８の使用をすることができ、つまり支持台４の汎用性を高めることができ、支持台４の少品種化を図ることができる。
【００１４】
【発明の実施の形態】
本発明は、親柱１の周面に該周回方向に所定角度ずつずれると共に上下に所定の蹴上げ高さ毎に設定される所定の取付け位置に、踏板２を支持させる支持台４を固定するのにあたり、下段の支持台４に上段の支持台４を載置させて配置することで、下段の支持台４の固定位置さえ決定できれば、上段の支持台４が自動的に所定の取付け位置に位置されるといったように、支持台４の所定位置への位置決め作業の容易化を図り得るようにした廻り階段である。以下、本発明を添付図面に示す実施形態に基づいて説明していく。
【００１５】
図１乃至図４に本発明の実施の形態の例を示す。本例の廻り階段は、図２に示すように、親柱１を周回方向に１８０°廻るうちに４段の階段が配置される、９０°・２段廻りタイプと称される廻り階段である。すなわち、正四角柱状の親柱１の周回に、該周回方向に４５°の角度ずつずらし、且つ、上下に蹴上げ高さ毎に踏板２を水平に配置し、上段の踏板２の前縁下部と下段の踏板２の上面との間に蹴込板３を垂設することで形成された廻り階段である。
【００１６】
上記のように配置される複数の踏板２は、親柱１の周面の所定位置に固定された支持台４によって支持される。この支持台４は、所定の左右幅を有し、所定の上下高さを有すると共に所定の表裏厚みを有した縦板であり、その上端面４ａ及び下面４ｂは水平面状に形成され、その下部部分における左右方向の一方（階下側）の端部には踏板２が水平に挿入されるコ字溝状の踏板挿入溝９が形成され、また、その上端部分における左右方向の他方（階上側）の角部には下方に凹状に切り欠いた切欠部１０が形成されている。なお、図中、矢印Ａ方向が階上方向であり、矢印Ｂ方向が階下方向である。
【００１７】
ここで、支持台４の上端面４ａと踏板挿入溝９の階下側の開口縁とを接続する支持台４の階下側の端面には、蹴込板３を当接させる蹴込板当接面８が形成されている。上記蹴込板当接面８は、垂直に切り立ち、且つ、支持台４の板面に対して所定角度に交差するような垂直面である。また、上記踏板挿入溝９の下面は、該踏板挿入溝９に挿入された踏板２が載置される水平面状の踏板載置面７を構成している。また、上記切欠部１０は、支持台４の上端面４ａより１段低い水平面状の支持台載置面５を形成させると共に、支持台４の上端面４ａと上記支持台載置面５とを連続させる垂直面状の支持台当接面６を形成させている。更に言うと、この支持台載置面５と支持台４の下面４ｂとの上下高さ寸法Ｈ１（図３）及び、支持台４の上端面４ａと踏板載置面７との上下高さ寸法Ｈ２（図３）は、蹴上げ高さに設定されている。
【００１８】
なお、具体的に本例の９０°・２段廻りタイプの廻り階段では、上記構成を有するも形状を違えた２種類の支持台４０，４１が用いられている。第１の支持台４１は、第２の支持台４２に比べて踏板載置面７の左右長さ寸法及び、下面４ｂの長さ寸法が長く形成されていると共に、蹴込板当接面８の該支持台４０の板面に対する角度θ１が４５°に設定されている。一方、第２の支持台４１は、第１の支持台４０に比べて踏板載置面７の左右長さ寸法及び、下面４ｂの長さ寸法が短く形成されていると共に、蹴込板当接面８の該支持台４１の板面に対する角度θ２が９０°（すなわち、直角）に設定されている。更に言えば、第１の支持台４の踏板載置面７は、蹴込板当接面８よりも階下側に突出するように形成されている。
【００１９】
支持台４は踏板２を所定箇所に配置させるために親柱１の所定位置に固定させるものであるが、上記構成を有する本例の支持台４にあっては、下段の支持台４に上段の支持台４を載せることで、親柱１の所定位置に下段から上段の順に次々と支持台４を位置させて固定を行わせているのである。詳述すると、上段の支持台４は下段の支持台４の支持台載置面５上に載せられ、これにより下段の支持台４を基準として上段の支持台４の上下方向の設置位置が決定されるようになっており、また、下段の支持台４の支持台載置面５上に載置した上段の支持台４の階下側の端面は、下段の支持台４の支持台当接面６に当接され、これにより下段の支持台４を基準として上段の支持台４の水平方向の設置位置が決定されるようになっている。このように、上段の支持台４は下段の支持台４を基準として上下方向及び水平方向の設置位置が決定されるのであり、つまり、最下段の支持台４の親柱１の周面への取付け位置を決めてしまえば、順に支持台４を積み上げていくことで、各支持台４の取り付け位置が自動的に決まるようにされているのである。
【００２０】
なお、角柱状の親柱１の角部Ｃを挟んでの支持台４同士の接続にあっても、上述したように、上段の支持台４は下段の支持台４を基準に、上下方向及び水平方向の位置決めが為されるものである。詳述すると、上段の支持台４が固定される側の親柱１の周面と下段の支持台４の支持台当接面６とを面一状にしておき、且つ、下段の支持台４の支持台載置面５を該角部Ｃの外方位置に突出させておくのである。そして、上段の支持台４の下面４ｂを下段の支持台４の支持台載置面５上に載置させ、且つ、上段の支持台４における親柱１の周面に沿う板面を下段の支持台４の支持台当接面６に当接させるのである。このようにすることで、角柱状の親柱１の角部Ｃを挟んで配置される支持台４同士にあっても、上段の支持台４は下段の支持台４を基準として上下方向及び水平方向への位置決めが為されるようにされている。
【００２１】
なお、具体的に本例の９０°・２段廻りタイプの廻り階段では、２種類の支持台４０，４１を交互に接続させて親柱１の周面の一面１ａに２種類の支持台４０，４１を各個位置させるようにし、且つ、この親柱１の周面の一面１ａにある２個の支持台４０，４１のうち、下段の支持台４を第１の支持台４０で構成させると共に、上段の支持台４を第２の支持台４１で構成させるような配列で、支持台４が親柱１の周面に固定される。
【００２２】
詳しくは、第１の支持台４０上に第２の支持台４１が載置されて、これら２個の支持台４０，４１が親柱１の周面の一面１ａに固定された状態にあっては、第１の支持台４０の支持台載置面５上に第２の支持台４１の下面４ｂが載置されることで、第２の支持台４１の上下方向の位置が第１の支持台４０を基準に決定され、また、第１の支持台４０の支持台当接面６に第２の支持台４１の階下側の端面が当接されることで、第２の支持台４１の水平方向の位置が第１の支持台４０を基準に決定されている。
【００２３】
なお、この第１の支持台４０上に第２の支持台４１が載置されて親柱１の周面の一面１ａに固定された状態にあっては、第２の支持台４１の支持台当接面６は、親柱１の該一面１ａの階上側に隣接する面（階上面１ｂと称する）に対して面一状態にされており、また、該第２の支持台４１の支持台載置面５は、親柱１の該一面１ａと階上面１ｂとの角部Ｃ１に突出されて位置されており、また、該第１の支持台４０の下面４ｂ部分は、親柱１の該一面１ａと親柱１の該一面１ａの階下側に隣接する面（階下面１ｃと称する）との角部Ｃ２に突出されて位置されている。また、親柱１の階上面１ｂ、階下面１ｃでも、上記親柱１の該一面１ａ同様、第１の支持台４０上に第２の支持台４１が載置される配列で、支持台４が親柱１に固定されるので、親柱１の該一面１ａと階上面１ｂとの角部Ｃ１、親柱１の該一面１ａと階下面１ｃとの角部Ｃ２にあっては、各角部Ｃ１，Ｃ２を挟んで、下段に第２の支持台４１が位置すると共に上段に第１の支持台４０が位置し、つまり、第２の支持台４１上に第１の支持台４０が載置されて接続されるようになる。
【００２４】
この角部Ｃを挟んでの支持台４同士の連結にあっても、上段の第１の支持台４０は、下段の第２の支持台４１を基準に、上下方向及び水平方向の位置決めが為されるのである。詳しくは、角部Ｃに突出された第１の支持台４０の下面４ｂが、同じく角部Ｃに突出された第２の支持台４１の支持台載置面５上に載置され、また、第１の支持台４０における親柱１の周面（階下面１ｃまたは階上面１ｂ）に沿う板面が、第２の支持台４１の支持台当接面６に当接されるのである。このように、親柱１の角部Ｃを挟んで配置される支持台４同士にあっても、上段の支持台４である第１の支持台４０は、下段の支持台４である第２の支持台４１を基準として、上下方向及び水平方向の位置決めが行われるようにされるのである。
【００２５】
上述したように、本例の廻り階段は、踏板２を支持する支持台４の親柱１の所定位置への取付けの際に、下段の支持台４に上段の支持台４を載置させるだけで、下段の支持台４を基準にして上段の支持台４を親柱１の所定位置に位置させることができるので、従来煩雑な作業であった踏板２を支持する部材（本発明では支持台４）の親柱１への位置決めを伴った固定が容易に行われ、廻り階段の施工性の大幅な向上が図られているのである。
【００２６】
なお、親柱１の所定位置に固定された支持台４には、踏板２が取付けられるのであるが、本例の廻り階段では踏板２の取付け強度の向上をも図られている。つまり、下段の支持台４に上段の支持台４を載置した状態では、下段の支持台４の上端面４ａと上段の支持台４の踏板載置面７とが面一状態にされており、上段の支持台４の踏板挿入溝９に挿入された踏板２が、上段の支持台４の踏板載置面７に加えて、下段の支持台４の上端面４ａにも載置されて支持されるようになっているのである。また、本例の踏板２は支持台４に載置される形で取り付けられるので、釘やネジ等の固着具を用いて踏板２を強固に支持台４、ひいては親柱１に固定できるものである。しかして本例の廻り階段は、釘等の固着具を用いての踏板２の親柱１への固定が困難であるといった欠点を有する、従来技術の項で述べた親柱１に設けた階段状の溝２０に踏板２の側端縁を嵌合する構成を有した廻り階段（図１４）と比べても、より踏板２の固定強度の向上が図られ得るものであることは言うまでもない。
【００２７】
また、形状は異なるが、図５に示すように、角柱状の親柱１の周面における一面に配置される複数の支持台４を一体構成にすることも好ましい。これによると、支持台４の部材点数を減らすことができ、施工の容易化、廻り階段の製造コストの削減に資することができるのである。なお、上端の角部に切欠部１０を形成するのに代えて、この図５の支持台４のように、支持台４の下面４ｂの角部Ｃに形成させて、支持台４間の接続の際に、上段の支持台４が、下段の支持台４を基準として、上下方向及び水平方向に位置決めが為されるようにすることもよいのは、言うまでもない。
【００２８】
以下、本発明の実施の形態の他例を列挙する。これらの例において、先の実施の形態の例の廻り階段と同様部位には、同符号を付して説明を省略し、相違する部位につき説明していく。
【００２９】
図６及び図７に示す本発明の実施の形態の他例は、支持台４を表裏反転させて用いることで支持台４の汎用性を高め、支持台４の少品種化を図り得るようにした例である。以下、詳述する。
【００３０】
本例の支持台４２は、表裏反転させて用いることができるよう、支持台４２の左右端部（階下側端部、階上側端部）にそれぞれ踏板載置面７及び蹴込板当接面８を設けて構成されている。ここでは、便宜上、支持台４２の板面の表面側を親柱１に沿わせる向きで、支持台４２の階下側にある踏板載置面７を第１の踏板載置面７ａと称し、階上側にある踏板載置面７を第２の踏板載置面７ｂと称し、また、階下側にある蹴込板当接面８を第１の蹴込板当接面８ａと称すると共に、階上側にある蹴込板当接面８を第２の蹴込板当接面８ｂと称する。
【００３１】
詳述すると、第１の踏板載置面７ａは、第２の踏板載置面７ｂよりも左右長さ寸法が長く、且つ、第１の蹴込板当接面８ａよりも階下側に突出するように形成されている。また、第１の蹴込板当接面８ａは、支持台４２の板面に対する角度θ３が４５°に設定されており、第２の蹴込板当接面８ｂは、支持台４２の板面に対する角度θ４が９０°に設定されている。また、この支持台４２の上端面４ａは、切欠部１０が形成されておらず面一の水平面状に形成されており、この上端面４ａが支持台載置面５を構成している。
【００３２】
そして、この支持台４２は、交互に表裏を違えて配列されて接続され、且つ、親柱１の周面の一面１ａに固定する２個の支持台４２，４２にあっては、下段の支持台４には支持台４２の板面の表面側を親柱１の周面の該一面１ａに沿わせた形態のものが用いられ、上段の支持台４には支持台４２の板面の裏面側を親柱１の周面の該一面１ａに沿わせる形態のものが用いられるようにされる。
【００３３】
この例における支持台４の親柱１の周面への位置決めにあっても、下段の支持台４上に上段の支持台４を載せることで行われ、つまり上段の支持台４は下段の支持台４を基準に、上下方向の位置決めが為されるようになっている。つまり、最下段の支持台４の親柱１の周面への取付け位置を決めてしまえば、順に支持台４を積み上げていくことで、各支持台４の上下方向の取り付け位置が決まるようにされているのであり、従来に比べて廻り階段の施工性の向上が図られているのである。なお、本例では、先の実施の形態の例にある支持台当接面６に相当するものは存在しなく、支持台４の水平方向の位置設定は従来同様に実測に基いて行われることとなるので、図１乃至図４の廻り階段に比べて施工性は劣るものとなっているが、代わりに、本例の廻り階段で用いる支持台４は、親柱１の周面に表裏を違えて沿わせることで２種類の支持台４として機能させており、つまり１種類の支持台４だけを用いて廻り階段の施工が行えるようにされており、したがって、支持台４の少品種化が図られ、廻り階段の製造コストの削減等の利益を受け得るようにされているのである。
【００３４】
なお、図示はしないが、支持台４２の上端面４ａの階下側及び階上側の角部に切欠部１０を形成して、支持台当接面６を形成させてもよい。これによると、上段の支持台４を下段の支持台４を基準として水平方向への位置決めをも行わせ、廻り階段の施工性の向上を図ったり、上段の支持台４の踏板挿入溝９に挿入させた踏板２を、上段の支持台４の踏板載置面７のみならず下段の支持台４の上端面４ａにも支持させ、踏板２の取付け強度の向上を図ることができるのである。
【００３５】
図８乃至図１１に示す本発明の実施の形態の他例は、親柱１を周回方向に１８０°廻るうちに６段の階段が配置される、９０°・３段廻りタイプと称される廻り階段である。すなわち、正四角柱状の親柱１の周回に、該周回方向に３０°の角度ずつずらし、且つ、上下に蹴上げ高さ毎に踏板２を水平に配置し、上段の踏板２の前縁下部と下段の踏板２の上面との間に蹴込板３を垂設することで形成された廻り階段である。この例で用いる支持台４は、基本構成は先の実施の形態の例の支持台４と同構成であるが、主に踏板２当接面の支持台４の板面への交差角度θを違えた３種類の支持台４が用いられる。以下、詳述する。
【００３６】
第１の支持台４３は、その踏板載置面７の左右長さ寸法が他の支持台４（後述する第２及び第３の支持台４３，４４）のそれに比べて長く形成されていると共に、その蹴込板当接面８の支持台４３の板面に対する角度θ５が３０°に設定されている。ここで、上記踏板載置面７は、蹴込板当接面８よりも階下側に突出するように形成されている。また、第２の支持台４４は、その蹴込板当接面８の支持台４４の板面に対する角度θ６が６０°に設定されている。また、第３の支持台４５は、その蹴込板当接面８の支持台４５の板面に対する角度θ７が９０°（すなわち、直角）に設定されている。
【００３７】
そして、これら３種離の支持台４は、先の実施の形態の例同様、下段の支持台４の支持台載置面５に上段の支持台４を載せると共に、下段の支持台４の支持台当接面６に上段の支持台４の板面や階下側の端面を当接させることで、上下方向及び水平方向の位置決めが為されるようにされている。具体的に、親柱１の周面の一面１ａには各支持台４３，４４，４５が各個固定されるのであるが、これは、第１の支持台４３を下段の支持台４として構成させ、第２の支持台４４を中段の支持台４として構成させ、第３の支持台４５を上段の支持台４として構成させるような配列で行われる。つまり、第２の支持台４４は第１の支持台４３を基準として上下方向及び水平方向の位置決めが行われており、第３の支持台４５は第２の支持台４４を基準として上下方向及び水平方向の位置決めが行われているのである。
【００３８】
ここで、親柱１の周面の一面１ａに各支持台４３，４４，４５が固定された状態では、第３の支持台４５の支持台当接面６は、親柱１の階上面１ｂに対して面一状態にされており、また、第３の支持台４５の支持台載置面５は、親柱１の該一面１ａと階上面１ｂとの角部Ｃ１に突出されて位置されており、また、第１の支持台４３の下面４ｂ部分は、親柱１の該一面１ａと階下面１ｃとの角部Ｃ２に突出されて位置されている。また、親柱１の階上面１ｂ、階下面１ｃでも、上記親柱１の該一面１ａ同様の配列で、支持台４が親柱１に固定されるので、親柱１の該一面１ａと階上面１ｂとの角部Ｃ１、親柱１の該一面１ａと階下面１ｃとの角部Ｃ２にあっては、各角部Ｃ１，Ｃ２を挟んで、下段に第３の支持台４５が位置すると共に上段に第１の支持台４３が位置し、つまり、第３の支持台４５上に第１の支持台４３が載置されて接続されるようになる。
【００３９】
この角部Ｃを挟んでの支持台４同士の連結は、詳しくは、角部Ｃに突出された第１の支持台４３の下面４ｂが、同じく角部Ｃに突出された第３の支持台４５の支持台載置面５上に載置され、また、第１の支持台４３における親柱１の周面（階下面１ｃまたは階上面１ｂ）に沿う板面が、第３の支持台４５の支持台当接面６に当接されるのであり、つまり、上段の第１の支持台４３は、下段の第３の支持台４５を基準に、上下方向及び水平方向の位置決めが為されるようにされている。
【００４０】
このように本例の回り階段も、先述した実施の形態の例同様、踏板２を支持する支持台４の親柱１への位置決めを伴った固定が容易に行われ、廻り階段の施工性の大幅な向上が図られているのである。
【００４１】
図１２及び図１３に示す本発明の実施の形態の他例は、先例同様９０°・３段廻りタイプの廻り階段であって、この廻り階段で用いる支持台４の中に表裏反転自在な支持台４を用いることで、廻り階段に使用する支持台４の少品種化を図り得るようにした例である。以下、詳述する。
【００４２】
本例は、先の図８乃至図１１の例における第２，第３の支持台４４，４５を兼用としたものである。この兼用される支持台４は、図６及び図７の例の支持台４同様に、支持台４の左右端部（階下側端部、階上側端部）にそれぞれ踏板載置面７及び蹴込板当接面８を設けて構成されている。ここでは、便宜上、兼用される支持台４を兼用支持台４６と称し、この兼用支持台４６の板面の表面側を親柱１の周面に沿わせる向きで、兼用支持台４６の階下側にある踏板載置面７を第１の踏板載置面７ａと称し、階上側にある踏板載置面７を第２の踏板載置面７ｂと称し、また、階下側にある蹴込板当接面８を第１の蹴込板当接面８ａと称すると共に、階上側にある蹴込板当接面８を第２の蹴込板当接面８ｂと称する。詳しくは、第１の蹴込板当接面８ａは支持台４の板面に対する角度θ８が６０°に設定されており、第２の蹴込板当接面８ｂは支持台４の板面に対する角度θ９が９０°に設定されている。
【００４３】
そして、支持台４を親柱１の所定位置に固定するには、先の図８乃至図１１の例の第２の支持台４４に代えて、板面の表面側を親柱１の周面に沿わせる形で１つ目の兼用支持台４６を配置し、第３の支持台４５に代えて、板面の裏面側を親柱１の周面に沿わせる形で２つ目の兼用支持台４６を配置するようにされる。このように、廻り階段に用いる支持台４の一部を兼用支持台４６で構成することで、支持台４の少品種化が図られ、廻り階段の製造コストの削減等の利益を受け得るようにできるのである。
【００４４】
なお、上記には、９０°・２段廻り、９０°・３段廻りの廻り階段の例を示したが、蹴込板当接面８の支持台４の板面に対する角度を変えることで、支持台４の様々な９０°・複数段廻りの階段にも対応させることができると共に、支持台４の兼用も同様に図ることもできる。つまり、本発明の技術思想は各種廻り階段にも適用させることができるのは言うまでもないのである。
【００４５】
【発明の効果】
上記のように本発明の請求項１記載の発明にあっては、踏板を支持する支持台を、親柱の周回方向に所定角度ずつずらすと共に下段の支持台に上段の支持台を載せるようにして、親柱の周面における所定の取付け位置に固定したので、最下段の支持台の親柱の周面への取付け位置を決めてしまえば、順に支持台を積み上げることで各支持台の取り付け位置が決まることになり、つまり、位置決めを容易にして親柱の周面に各支持台を固定することができる。この踏板を支持する部材（支持台）の親柱への位置決め作業は、従来煩雑な作業であって廻り階段の施工を煩雑にする主因とされていたが、上述したように本発明では、踏板を支持する支持台の親柱への位置決めを伴った固定が容易に行われることから、廻り階段の施工性を大幅に向上させることができるようにされているのである。
【００４６】
また、請求項２記載の発明にあっては、角柱状の親柱における周面の角部を挟んで配置される下段の支持台と上段の支持台とは、下段の支持台の上面の一部及び上段の支持台の下面の一部がそれぞれ該角部の外方位置に突出され、この角部の外方位置にある下段の支持台の上面に上段の支持台の下面が載置されてなるので、親柱の角部を挟んで配置される支持台も位置決めを伴った固定が容易に行われ、請求項１の効果である支持台の親柱への位置決めを伴った固定の容易化を確保することができるのである。
【００４７】
また、請求項３記載の発明にあっては、請求項１の効果に加え、角柱状の親柱における一周面に配置される複数の支持台を一体構成にしたので、支持台の部材点数を減らすことができ、施工の容易化の向上を図ることができるのである。
【００４８】
また、請求項４記載の発明にあっては、請求項１の効果に加え、支持台の上端部位を下方に凹状に切り欠くことで、支持台の上端より１段低い水平面状の支持台載置面を形成すると共に支持台の上端と上記支持台載置面とを連続させる垂直面状の支持台当接面を形成し、下段の支持台の支持台載置面に載置した上段の支持台の側端面を支持台当接面に当接させたので、下段の支持台に対する上段の支持台の位置決めを、上下方向のみならず水平方向にも決定させることができ、更に正確且つ容易に、支持台を親柱の取付け位置に位置させることができるのである。
【００４９】
また、請求項５記載の発明にあっては、請求項４の効果に加え、支持台に踏板が載置される水平面状の踏板載置面を形成すると共に支持台の上端面を水平面状に形成し、下段の支持台の支持台当接面上に載置した上段の支持台の踏板載置面と下段の支持台の上端面とを面一状態にし、この面一面上に踏板を載置したので、上段の支持台に支持される踏板は、上段の支持台の踏板載置面での支持に加えて、下段の支持台の上端面にも載置されて受けられ、踏板の支持台、ひいては親柱への固定強度をより向上させることができるのである。
【００５０】
また、請求項６記載の発明にあっては、請求項１の効果に加え、支持台の左右端部に、踏板を載置させる踏板載置面及び、踏板の前縁下部から垂設される蹴込板を当接させる垂直面状の蹴込板当接面をそれぞれ設け、この支持台を表裏反転自在にして親柱の周面に固定したので、この支持台を表裏反転させて用いることで、左右２種の踏板載置面及び蹴込板当接面の使用をすることができ、つまり支持台の汎用性を高め、支持台の少品種化を図って、廻り階段の製造コストの低減化を図ることができる。
【図面の簡単な説明】
【図１】本発明の実施の形態の例の斜視図である。
【図２】同上の平面図である。
【図３】同上の支持台の配列を説明する説明図である。
【図４】同上の支持台の親柱への固定状態を示す斜視図である。
【図５】本発明の実施の形態の他例を説明する説明図である。
【図６】本発明の実施の形態の更に他例における支持台の表裏反転を説明する説明図である。
【図７】同上の支持台の親柱への固定状態を示す斜視図である。
【図８】本発明の実施の形態の更に他例の斜視図である。
【図９】同上の平面図である。
【図１０】同上の支持台の配列を説明する説明図である。
【図１１】同上の支持台の親柱への固定状態を示す斜視図である。
【図１２】本発明の実施の形態の更に他例における兼用支持台の表裏反転を説明する説明図である。
【図１３】同上の支持台の親柱への固定状態を示す斜視図である。
【図１４】従来技術の例を示す斜視図である。
【図１５】従来技術の他例を示す斜視図である。
【図１６】従来技術の更に他例を示す斜視図である。
【符号の説明】
１　親柱
１ａ　一面
１ｂ　階上面
１ｃ　階下面
２　踏板
３　蹴込板
４　支持台
５　支持台載置面
６　支持台当接面
７　踏板載置面
８　蹴込板当接面
９　踏板挿入溝
１０　切欠部
Ａ　階上方向
Ｂ　階下方向
Ｃ　角部
【図１】
2004116088.tif 000003
【図２】
2004116088.tif 000004
【図３】
2004116088.tif 000005
【図４】
2004116088.tif 000006
【図５】
2004116088.tif 000007
【図６】
2004116088.tif 000008
【図７】
2004116088.tif 000009
【図８】
2004116088.tif 000010
【図９】
2004116088.tif 000011
【図１０】
2004116088.tif 000012
【図１１】
2004116088.tif 000013
【図１２】
2004116088.tif 000014
【図１３】
2004116088.tif 000015
【図１４】
2004116088.tif 000016
【図１５】
2004116088.tif 000017
【図１６】
2004116088.tif 000018